(57)【要約】      （修正有）【課題】軽量かつ簡潔な構造からなり、取り扱いやすく、使用、運搬または保管するにあたって広いスペースが不要で、眼鏡の特徴を強い訴求力をもって効率的、かつ立体的に陳列でき、しかもコスト低廉な眼鏡のディスプレーを提供する。【解決手段】台座部１０と眼鏡を架装するための展示部２からなり、展示部２上端に眼鏡を架装するための一対の凹陥部３を具えるとともに、展示部２の表面には鏡面を形成してなる。また、展示部２の所要箇所に表示欄１１を設け、眼鏡の仕様やその他の情報を表出できるようにしてもよい。【選択図】図４
0003146755.tif 000002
【実用新案登録請求の範囲】
【請求項１】
眼鏡を展示部に架装して展示するための眼鏡ディスプレーであって、前記展示部上端に眼鏡を架装するための一対の凹陥部を具えたことを特徴とする眼鏡ディスプレー。
【請求項２】
請求項１記載の眼鏡ディスプレーにおいて、前記展示部の両側端には係合部を具え、この係合部をスリットに嵌合させて前記スリットを有する表示体に眼鏡ディスプレーを着脱自在に掛止できるようにしたことを特徴とする眼鏡ディスプレー。
【請求項３】
台座部と眼鏡を架装するための展示部からなり、前記展示部上端に眼鏡を架装するための一対の凹陥部を具えたことを特徴とする眼鏡ディスプレー。
【請求項４】
請求項１ないし３いずれか記載の眼鏡ディスプレーにおいて、前記展示部の表面には鏡面を形成したことを特徴とする眼鏡ディスプレー。
【請求項５】
請求項１ないし４いずれか記載の眼鏡ディスプレーにおいて、前記展示部の上端は湾曲状に形成し、前記凹陥部は湾曲部の両端に形成したことを特徴とする眼鏡ディスプレー。
【考案の詳細な説明】
【技術分野】
【０００１】
本願考案は、眼鏡を陳列するために用いられるであって、詳しくは、販売店な
どの店頭において眼鏡 を見やすく陳列でき、しかも簡潔な構造を有する眼鏡のディスプレーに関するものである。
【背景技術】
【０００２】
通常、販売店などの店頭において眼鏡を陳列する場合には、眼鏡 は蔓の部分を畳んだ状態で、あるいは蔓を開いて陳列棚やショーケースに直に並べることが多い。このような直置きによる陳列例では、顧客の視線より下方に位置しているので、顧客はこれらの眼鏡
を俯瞰することになる。  一方、眼鏡 の選定にあたり、顧客の観察ポイントは、主に眼鏡 のフレームの形状や材質、レンズの材質等にあるものである。
【０００３】
しかしながら、眼鏡が上記のように陳列 されていると、陳列の全体を見渡しやすいものの、多数の陳列状態は平面的に映ずるので、個々の眼鏡単品の顧客への訴求力は明確になりがたい。また、眼鏡
がショーケース内部に陳列 されている状況では、ショーケースの奥に陳列された眼鏡は、目をこらして覗き込まないと見えないことが多い。
【０００４】
さらに、顧客は陳列されている眼鏡 をよく見るために、注目した眼鏡 を順次手に取って、フレームの形状や材質、レンズの材質を確かめた後、再び陳列 棚に戻すが、このような行為が繰り返されるにつれて、始めは整然と並べられていた眼鏡等も、やがて配置が乱雑となって陳列
全体の美観が損なわれ、整理整頓を繰りかえす必要がある。
【０００５】
このように、陳列場所に眼鏡を、単に平置き陳列するだけでは、顧客が十分に目的物を吟味できず、また店の陳列作業も煩瑣である。このため、眼鏡の平置き陳列に替えて立体的な陳列も行われている。
【０００６】
この立体的な陳列方法としては、陳列棚に例えば人体頭部型のディスプレーを並べ、これに眼鏡を掛けたり、円柱体に蔓を左右に開いた眼鏡を保持させたり等の方法が採用されている。        
さらには、支持穴を形成した衝立状のディスプレーに眼鏡を掛けて陳列する方法も散見される。
【０００７】
人体頭部型、または円柱状のディスプレーを用いて立体的に陳列される眼鏡は、顧客にとって平面的に陳列された眼鏡 よりも見えやすくなり、眼鏡 を使用する時のイメージも得やすくなるが、眼鏡のディスプレーからの着脱が面倒であり、時には、眼鏡をディスプレーに引っかけて、眼鏡やディスプレーを破損してしまうこともある。
【０００８】
そして、時には誤ってディスプレー自体を倒して、回りの眼鏡 や陳列棚までも破損してしまう恐れもある。加えて、このようなディスプレーは、それ自体が大きく、かつ重いので、配置するためのスペースが不可欠で、しっかりした作りの陳列棚を準備する必要があるうえ、同じスペースで眼鏡
を平置きした場合と比べると、少数の眼鏡しか、陳列できず展示効率も悪い。
【０００９】
また、衝立型の眼鏡ディスプレーの場合は、眼鏡の支持穴を多数設ければ、一度に多数の眼鏡 を立体的に陳列できるが、やはり、眼鏡を着脱する際に眼鏡やディスプレーを破損しやすいし、ディスプレー自体が倒れてしまって商品類を破損する恐れがある。
【００１０】
さらまた、陳列 状態を変えて模様替えをする場合、立体的な展示に用いられるこれらのディスプレーにはある程度の重量と大きさがあるので、ディスプレーを移動させること自体が手間のかかる作業となり、また、使用しないディスプレーの保管場所も必要となる。
【００１１】
なお、本願考案と関連する技術が次の文献において開示されている。
【特許文献１】特開２００５−１８９７８６号公報
【特許文献２】特開２００４−０６２１０１号公報
【特許文献３】特開２００２−３３６１０５号公報
【特許文献４】特開２００１−２８６３７２号公報
【特許文献５】特開２０００−２５３９７３号公報
【特許文献６】特開平０９−１０３３４４号公報
【特許文献７】実用新案登録第３０１４６９９号公報
【考案の開示】
【考案が解決しようとする課題】
【００１２】
本願考案は、軽量かつ簡潔な構造からなり、取り扱いやすく、使用、運搬または保管するにあたって広いスペースが不要で、眼鏡の特徴を強い訴求力をもって効率的、かつ立体的に陳列
きる眼鏡のディスプレーを提供して、上記従来の課題を解決しようとするものである。
【課題を解決するための手段】
【００１３】
本願考案は、眼鏡を展示部に架装して展示するための眼鏡ディスプレーであって、前記展示部上端に眼鏡を架装するための一対の凹陥部を具えてなる眼鏡ディスプレーを提供して、上記従来の課題を解決しようとするものである。
【００１４】
また、上記の眼鏡ディスプレーにおいて、前記展示部の両側端には係合部を具え、この係合部をスリットに嵌合させて前記スリットを有する表示体に眼鏡ディスプレーを着脱自在に掛止できるように構成することがある。
【００１５】
本願考案はまた、台座部と眼鏡を架装するための展示部からなり、前記展示部上端に眼鏡を架装するための一対の凹陥部を具えた眼鏡ディスプレーを提供して、上記従来の課題を解決しようとするものである。
【００１６】
さらに、上記いずれかの眼鏡ディスプレーにおいて、前記展示部の表面には鏡面を形成して、眼鏡の装着状態を確認できるように構成することがある。
【００１７】
さらにまた、上記いずれかの眼鏡ディスプレーにおいて、前記展示部の上端は湾曲状に形成し、前記凹陥部は湾曲部の両端に形成する構成となすことがある。
【考案の効果】
【００１８】
本願考案は、軽量であり、かつ簡潔な構造から成り取り扱いやすく、使用または保管するにあたって広いスペースを要さず、眼鏡を効果的にかつ立体的に陳列でき、顧客に対す高い訴求力を実現できる。
【考案を実施するための最良の形態】
【００１９】
眼鏡ディスプレーは、全体を樹脂製の長手状の平板で形成し、展示部とこれ以外の係合部、台座部等の境界部分には折り曲げ筋線を形成して、この折り曲げ筋線に沿って折り曲げることにより使用時の立体的形態を構成できるようにするのが好ましい。  平板の厚さは特に制限されないが、前記のように特定の形態を折り曲げにより設定する必要があるから、折り曲げに適した薄板とするのが好ましい。  また、素材を薄い金属板、紙材で構成することも可能であるが、取り扱いの容易性やコストの点からはＰＥＴ樹脂によるのが現実的であるとも言える。  なお、展示部のみで、台座部や係合部を有しない眼鏡ディスプレーは、挟持スタンドに保持させるか、あるいはビス孔を介して壁面その他の陳列箇所にビス止めするようにする。  このビス止めに際しては、壁面と眼鏡ディスプレー（展示部）自体とのあいだに間隙を設ける必要があるから、所定長さのリング体を介装するようにする。
【実施例】
【００２０】
次に、図面により本願考案の実施例を説明する。  
図１は、本願に係る眼鏡ディスプレーの１実施例を示す正面図である。
図において、１は、眼鏡を展示部２に架装して展示するための眼鏡ディスプレーであり、前記展示部２上端に眼鏡を架装するための一対の凹陥部３，３を具えて構成されている。  また、４、４は後述のように眼鏡ディスプレー１を壁面等に固定するためのビス穴である。
【００２１】
図２は、図１に示す前記眼鏡ディスプレー１の使用例を示す斜視図である。  眼鏡ディスプレー１は、図２（ａ）に示すように、壁面（不図示）との間にリング体５を介して壁面との間に所定の間隙を形成してビス固定される。そして、図２（ｂ）のように、蔓を閉じた状態の眼鏡Ｇを一対の凹陥部３，３にはさまれる展示部２の上端部２ａに掛着することにより展示部２に架装して陳列に供する。  なお、この実施例では、前記上端部２ａを湾曲状に形成したが、直線、曲線等さまざまな形状が可能であり、要は眼鏡の着脱が容易で、かつ、見た目に美麗であればよい。  また、眼鏡ディスプレー１の素材は金属材、紙材等を使用しえるが、この実施例では透明のＰＥＴ材による薄い平板が使用されている。  ＰＥＴ材はリサイクル容易で、コスト低廉、軽量との利点を有するからである。
【００２２】
図３は、本願に係る眼鏡ディスプレーの他の実施例を示す説明図で、図３（ａ）は眼鏡ディスプレーの斜視図、図３（ｂ）は図３（ａ）に示す眼鏡ディスプレーの展開図、図３（ｃ）は壁面への眼鏡ディスプレーの取り付け状態を示す斜視図である。
図３（ａ）において、１は、眼鏡を展示部２に架装して展示するための眼鏡ディスプレーであり、前記展示部２上端に眼鏡を架装するための一対の凹陥部３，３を具えて構成されている。  そして、展示部２の両側端には、展示部２と直角をなす係合部６，６が連設されている。  係合部６の端部にはこれに直角をなすストッパー６ａが形成され、前記係合部６を壁面等のスリットに嵌合させた場合の落下防止の機能を有している。そして、前述のように、眼鏡ディスプレー１の素材は金属材、紙材等を使用しえるが、この実施例では透明のＰＥＴ材による薄い平板が使用されており、展示部２の上端部２ａは湾曲状に形成されているが、直線、曲線等さまざまな形状が可能であり、要は眼鏡の着脱が容易で、かつ、見た目に美麗であればよい。
【００２３】
図３（ｂ）は、図３（ａ）に示す眼鏡ディスプレー１の展開図である。  すなわち、図３（ａ）に示す眼鏡ディスプレー１は透明のＰＥＴ材による薄い平板により形成されており、これを展開したものが図３（ｂ）であるが、逆に、図３（ａ）に示す眼鏡ディスプレー１は図３（ｂ）に示すものを折り曲げることにより作製されるのである。すなわち、図３（ｂ）において、折り曲げ筋線７，７．．それぞれを内側に９０度折り曲げることにより、図３（ａ）に示す眼鏡ディスプレー１が得られる。
【００２４】
図３（ｃ）は壁面への眼鏡ディスプレーの取り付け状態を示す斜視図であり、図において、８は眼鏡ディスプレー１を掛止するためのボードであり、このボード８の所定位置には眼鏡ディスプレー１の前記係合部６を勘合するためのスリット９が複数穿設されている。  眼鏡Ｇを架装した眼鏡ディスプレー１は係合部６をスリット９に挿し込み、前記ストッパー６ａをボード８の裏面に当接することによりボード８に展示されることになる。
【００２５】
図４は、本願に係る眼鏡ディスプレーのさらに他の実施例を示す説明図で、図４（ａ）は眼鏡ディスプレーの斜視図、図４（ｂ）は図４（ａ）に示す眼鏡ディスプレーの展開図である。  図４（ａ）に示すように、眼鏡ディスプレー１は、台座部１０と、眼鏡を架装するための展示部２からなり、展示部２は台座部１０から斜め後方に立設されていて、前記展示部２上端に眼鏡Ｇを架装するための一対の凹陥部３，３を具えている。
【００２６】
図４（ｂ）は図４（ａ）に示す眼鏡ディスプレーの展開図である。すなわち、図４（ａ）に示す眼鏡ディスプレー１は透明のＰＥＴ材による薄い平板により形成されており、これを展開したものが図４（ｂ）であるが、このことは逆に、図４（ａ）に示す眼鏡ディスプレー１は図４（ｂ）に示すものを折り曲げることにより作製され得ることを示している。  
すなわち、図４（ｂ）において、折り曲げ筋線７を内側に９０度以上折り曲げることにより、図４（ａ）に示す眼鏡ディスプレー１が得られる。そして、この実施例においても、前述のように、眼鏡ディスプレー１の素材は金属材、紙材等を使用しえるが、この実施例では透明のＰＥＴ材による薄い平板が使用されており、展示部２の上端部２ａは湾曲状に形成されているが、直線、曲線等さまざまな形状が可能であり、要は眼鏡の着脱が容易で、かつ、見た目に美麗であればよい。
【００２７】
上述の各実施例に係る眼鏡ディスプレー１において、その展示部２の表面には鏡面を形成することがあり、この鏡面により眼鏡の装着状態が確認できて、眼鏡の選定には至便である。  また、図４（ｂ）に示すように、展示部２の所要箇所に表示欄１１を設け、眼鏡の仕様やその他の情報を表出できるようにしてもよい。
【００２８】
図５は、上記実施例に係る眼鏡ディスプレー１の使用例を示す斜視図であり、図５（ａ）は図１に示す実施例に係る眼鏡ディスプレー１の他の使用例であり、図示のように眼鏡ディスプレー１は適宜のスタンドＳに挟持して陳列されている。  また、図５（ｂ）は図３（ａ）に示す眼鏡ディスプレー１をボードに取り付けず直接ショウケースなどの床面に載置している状態を示している。
【図面の簡単な説明】
【００２９】
【図１】本願に係る眼鏡ディスプレーの１実施例を示す斜視図である。
【図２】図１に示す前記眼鏡ディスプレー１の使用例を示す斜視図である。
【図３】本願に係る眼鏡ディスプレーの他の実施例を示す説明図で、図３（ａ）は眼鏡ディスプレーの斜視図、図３（ｂ）は図３（ａ）に示す眼鏡ディスプレーの展開図、図３（ｃ）は壁面への眼鏡ディスプレーの取り付け状態を示す斜視図である。
【図４】本願に係る眼鏡ディスプレーのさらに他の実施例を示す説明図で、図４（ａ）は眼鏡ディスプレーの斜視図、図４（ｂ）は図４（ａ）に示す眼鏡ディスプレーの展開図である。
【図５】図５は、実施例に係る眼鏡ディスプレー１の他の使用例を示す斜視図である。
【符号の説明】
【００３０】
１．．．．．．．眼鏡ディスプレー
２．．．．．．．展示部
３．．．．．．．凹陥部
４．．．．．．．ビス穴
５．．．．．．．リング体
６．．．．．．．係合部
７．．．．．．．折り曲げ筋線
８．．．．．．．ボード
９．．．．．．．スリット
【図１】
0003146755.tif 000003
【図２】
0003146755.tif 000004
【図３】
0003146755.tif 000005
【図４】
0003146755.tif 000006
【図５】
0003146755.tif 000007